(57)【要約】    【課題】 本発明は適度な硬さを備え、指圧効果を向上させた寝具用クッション体を提供するものである。    【解決手段】 本発明に係る寝具用クッション体Ａは、ベース部１０と該ベース部１０の表面に有する突出部２０とからなり、ベース部１０の上部１１と突出部２０の頂部２１とが硬質クッション材であり、それ以外の部位、すなわち、ベース部１０の下部１２や突出部２０の基部２２は軟質クッション材であることを特徴とするものである。【選択図】  図１
2007215617.tif 000002
【特許請求の範囲】
【請求項１】
ベース部と該ベース部の表面に有する突出部とからなり、ベース部の上部と突出部の頂部とが硬質クッション材であり、それ以外の部位は軟質クッション材であることを特徴とする寝具用クッション体。
【発明の詳細な説明】
【技術分野】
【０００１】
本発明は、寝具やクッションの中材等に用いられる寝具用クッション体に関する。
【背景技術】
【０００２】
従来から、例えば各種ベッド等の寝具の中材としてウレタンフォームが使用されてきており、特に、ウレタンフォームのクッション性のため、その需要は益々増大し、ウレタンフォームの表面形状については、体圧分散性及び指圧効果を向上させるために、種々の複雑な突出部を形成することが要求されてきている。
【０００３】
このようなウレタンフォーム表面の突出部形成加工については、いわゆるプロファイル加工方法が採用されており、この加工方法は、圧延ロール機を使用し、断面凹凸形状の外周を有する上部ローラーと該上部ローラとは逆の断面凹凸形状を有する下部ローラーとの間隙にウレタンフォームシートを圧縮挿入し、間隙中間部に設けた切断刃によりウレタンフォームシートを切断することによりウレタンフォーム切断面に突出部を形成する方法である。
【発明の開示】
【発明が解決しようとする課題】
【０００４】
しかし、従来の表面に突出部を有するウレタンフォームにおいては、体圧分散性が重視され、違和感を感じさせない快適な寝心地を追求したが故にクッション性を十分に備えたものになっているが、利用者によっては沈み込み過ぎるので適度な硬さをもたせてほしいとの要望があり、また、指圧効果についても突出部が軟弱すぎて指圧効果が達成されていないため、改善を求める要望があった。
【０００５】
そこで、本発明者は、適度な硬さを備え、指圧効果を向上させた寝具用クッション体を開発した。
【課題を解決するための手段】
【０００６】
本発明に係る寝具用クッション体（以下、「クッション体」という。）は、ベース部と該ベース部の表面に有する突出部とからなり、ベース部の上部と突出部の頂部とが硬質クッション材であり、それ以外の部位は軟質クッション材であることを特徴とするものである。
【０００７】
上記のように構成することにより、突出部の頂部における硬質クッション材が身体に対して直接的に荷重をかけた状態で接触することになる。また、肌に対して頂部における硬さが局部的な反力を与える。さらに、ベース部の上部における硬質クッション材によりクッション体に適度な硬さが付与される。
【発明の効果】
【０００８】
したがって、突出部の頂部における硬質クッション材が身体に直接的に荷重をかけた状態で接触することにより、肌に対して硬さを触感させると共に頂部における硬さのある局部的な反力による指圧効果が期待でき、かつ、ベース部の上部における硬質クッション材により適度な硬さが付与されたクッション体が身体の全荷重を受け止めることになるので、クッション体に対して適度な硬さを感じさせ、硬い目の寝具を要望する利用者には十分に満足のいく寝具用クッション体を得ることができた。
【発明を実施するための最良の形態】
【０００９】
以下に、本発明の好適な実施例を図面に基づいて詳細に説明する。
【実施例１】
【００１０】
図１は本実施例に係るクッション体の断面図であり、図２は本実施例に係るクッション体においてその一部に荷重を掛けた状態を示す断面図であり、図３は本実施例に係るクッション体においてその全体に大なる荷重を掛けた状態を示す断面図である。
【００１１】
図１において、Ａはクッション体を示し、クッション体Ａは、ベース部１０と突出部２０とから構成される。ベース部１０は、その上部１１が硬質クッション材である単独気泡のポリエチレンフォームより形成され、下部１２は軟質クッション材である連続気泡のポリウレタンフォームより形成される。突出部２０は、その頂部２１が硬質クッション材である単独気泡のポリエチレンフォームより形成され、突出部基部２２は軟質クッション材である連続気泡のポリウレタンフォームより形成される。
【００１２】
なお、硬質クッション材としては、上記したものに限られるものではなく、単独気泡又は連続気泡のいずれでもよく、硬度のあるウレタンフォームやラテックスやゴムなど等の高度の弾性と低度のクッション性を備えるものであれば、その目的を達成することができる。また、軟質クッション材についても、上記したものに限られるものではなく、単独気泡又は連続気泡のいずれでもよく、また、低反発性の発泡体その他の高度のクッション性を有するものであれば、その目的を達成することができる。
【００１３】
上記のようにクッション体Ａを構成したことにより、図２に示すように、突出部２０の一部である突出部２０ａに荷重（矢符ａで示す）をかけると、突出部２０ａの頂部２１ａは変形せず、突出部基部２２ａは荷重により圧縮されてしまうが、その下部に位置するベース部１０には上部１１の硬質クッション材が介在しているため変形せず、したがって、下部１２の軟質クッション材に荷重による影響は及ばない。
【００１４】
一方、このクッション体Ａ全体に大なる荷重（矢符ｂで示す）がかかったときには、図３に示すように、突出部２０は軟質クッション材で構成される突出部基部２２は全て圧縮されてしまうが、硬質クッション材で形成される頂部２１は変形せず、その硬さを維持する。また、ベース部１０においては、荷重に対応して上部１１は湾曲するが、硬質クッション材で形成されるため圧縮されず、軟質クッション材により構成される下部１２が圧縮されることになり、このような圧縮状況からクッション体Ａは適度なクッション性と硬さとを維持することになる。
【００１５】
このように本実施例に係るクッション体Ａを構成したことにより、突出部２０の頂部２１における硬質クッション材が身体に直接的に荷重をかけた状態で接触することになる。また、肌に対して頂部２１における硬さが局部的な反力を与える。さらに、ベース部１０の上部１１における硬質クッション材によりクッション体に適度な硬さが付与される。
【００１６】
したがって、突出部２０の頂部２１における硬質クッション材が身体に直接的に荷重をかけた状態で接触することにより、肌に対して硬さを触感させると共に頂部２１における硬さのある局部的な反力による指圧効果が期待でき、かつ、ベース部１０の上部１１における硬質クッション材により適度な硬さが付与されたクッション体Ａが身体の全荷重を受け止めることになるので、クッション体Ａに対して適度な硬さを感じさせ、硬い目の寝具を要望する利用者には十分に満足のいく寝具用クッション体Ａとなる。
【産業上の利用可能性】
【００１７】
本発明に係る寝具用クッション体は、寝具用の種々の用途に使用でき、もちろんこの寝具用クッション体の下方に他の寝具用のクッション体や構造体を積層して使用することも可能である。
【図面の簡単な説明】
【００１８】
【図１】実施例１に係るクッション体の断面図である。
【図２】実施例１に係るクッション体においてその一部に荷重を掛けた状態を示す断面図である。
【図３】実施例１に係るクッション体においてその全体に大なる荷重を掛けた状態を示す断面図である。
【符号の説明】
【００１９】
Ａ・・・クッション体
１０・・ベース部
１１・・ベース部の上部
１２・・ベース部の下部
２０、２０ａ・・突出部
２１、２１ａ・・突出部の頂部
２２、２２ａ・・突出部の基部
【図１】
2007215617.tif 000003
【図２】
2007215617.tif 000004
【図３】
2007215617.tif 000005